(57)【要約】【課題】  レンズ用アダプタとそれ以外の部品（例えば光学フィルタ等）が同時に装着できないようにする。【解決手段】  カメラボディＣＢに形成されたレンズ露出用の開口周囲に第１の結合部１１ａを設け、この第１の結合部１１ａにレンズ用アダプタ３０の結合部３２を結合することでアダプタ３０を装着可能に構成する一方、上記開口から露出するレンズユニット２０の先端にアダプタ以外の光学部材５０を装着するための第２の結合部２２ａを設ける。第２の結合部２２ａに光学部材５０が装着されているときには、その光学部材５０の枠部分５１がアダプタ３０の当接部３３に当接することにより、アダプタ側結合部３２の第１の結合部１１ａへの結合がメカ的に阻止される。【選択図】        図１
2005195911.tif 000002
【特許請求の範囲】
【請求項１】
カメラボディに形成されたレンズ露出用の開口周囲に第１の結合部を設け、この第１の結合部にレンズ用アダプタの結合部を結合することで該アダプタを装着可能に構成する一方、前記開口から露出するレンズユニットに前記アダプタ以外の部品を装着するための第２の結合部を設け、該第２の結合部に前記部品が装着されているときには、その部品が前記アダプタの当接部に当接することにより、アダプタ側結合部の前記第１の結合部への結合がメカ的に阻止されるよう前記第１，第２の結合部の位置関係を定めたことを特徴とするカメラ。
【請求項２】
前記当接部を持たないアダプタは、前記第２の結合部への前記部品の装着の有無に拘わらず前記第１の結合部への結合が可能であることを特徴とする請求項１に記載のカメラ。
【請求項３】
前記レンズユニットは、前記装着されたアダプタ内部を光軸方向に進退可能とされていることを特徴とする請求項１または２に記載のカメラ。
【請求項４】
カメラボディのレンズ露出用の開口周囲に形成された結合部に結合される結合部を有し、該結合部同士の結合によりカメラボディに装着されるレンズ用アダプタであって、
前記開口から露出するレンズユニットの先端に部品が装着されているときに、当該部品に当接することで、前記アダプタ側結合部の前記カメラボディ側結合部への結合をメカ的に阻止する当接部を有することを特徴とするレンズ用アダプタ。
【請求項５】
前記当接部は、前記レンズユニットの光軸の方向に向けて、突出して設けられることを特徴とする請求項４に記載のレンズ用アダプタ。
【請求項６】
先端に光学レンズを有するととともに、該光学レンズの後方に前記レンズユニットを光軸方向へ進退させ得る空間を有することを特徴とする請求項４に記載のレンズ用アダプタ。
【請求項７】
レンズ露出用の開口周囲に第１の結合部を有するカメラボディと、
部品を装着するための第２の結合部を有し、その先端が前記開口から露出するレンズユニットと、
前記第１の結合部に結合される結合部を有し、該結合部同士の結合により前記カメラボディに装着されるレンズ用アダプタとを備え、
前記第２の結合部に前記部品が装着されているときには、前記アダプタの一部が前記部品に当接することで前記アダプタ側結合部の前記第１の結合部への結合がメカ的に阻止されるよう構成したことを特徴とするカメラシステム。
【請求項８】
レンズを保持する筐体を有し、該筐体に設けられた第１の結合部に第１の部品をレンズ前方から結合して装着可能とし、前記筐体の前記第１の結合部よりも光軸に対して内側に第２の結合部を設け、該第２の結合部に第２の部品をレンズ前方から結合して装着可能とし、前記第２の部品が装着されているときには、該第２の部品が前記第１の部品の当接部に当接することにより、該第１の部品の前記第１の結合部への結合がメカ的に阻止されるよう前記第１，第２の結合部の位置関係を定めたことを特徴とする光学機器。
【発明の詳細な説明】
【技術分野】
【０００１】
本発明は、カメラ、カメラに装着可能なレンズ用アダプタ、カメラとアダプタとから成るカメラシステムおよび光学機器に関する。
【背景技術】
【０００２】
撮影レンズ鏡筒の先端にレンズアダプタ（例えば、コンバータやレンズフード）を装着して撮影を行うことが従来からよく行われている。またレンズ沈胴式のカメラにおいて、レンズ鏡筒の沈胴時にアダプタがカメラボディに干渉するのを防ぐため、アダプタをレンズ鏡筒ではなくカメラボディに装着し、レンズ鏡筒の可動部がアダプタ内で光軸方向に進退できるようにしたものがある（例えば、特許文献１参照）。
【０００３】
【特許文献１】特開２０００−３３０１７９号公報
【発明の開示】
【発明が解決しようとする課題】
【０００４】
しかしながら、上記のようにカメラボディにアダプタを装着するものにおいて、レンズ鏡筒の先端に更にフィルタ等を装着可能にした場合、アダプタとフィルタの双方を装着することによって所望の光学性能が得られなくなったり、場合によってはレンズ鏡筒の進退時にフィルタとアダプタ内のレンズが干渉していずれかが破損するおそれがある。
【課題を解決するための手段】
【０００５】
請求項１〜３の発明に係るカメラは、カメラボディに形成されたレンズ露出用の開口周囲に第１の結合部を設け、この第１の結合部にレンズ用アダプタの結合部を結合することでアダプタを装着可能に構成する一方、上記開口から露出するレンズユニットにアダプタ以外の部品を装着するための第２の結合部を設け、第２の結合部に部品が装着されているときには、その部品の枠部分がアダプタの当接部に当接することにより、アダプタ側結合部の第１の結合部への結合がメカ的に阻止されるよう第１，第２の結合部の位置関係を定めて構成される。
特に請求項２の発明は、上記当接部を持たないアダプタは、第２の結合部への部品の装着の有無に拘わらず第１の結合部への結合できるようにしたものである。
請求項３の発明は、レンズユニットが装着されたアダプタ内部を光軸方向に進退可能に構成したものである。
請求項４，５の発明に係るレンズ用アダプタは、カメラボディのレンズ露出用の開口周囲に形成された結合部に結合される結合部を有し、結合部同士の結合によりカメラボディに装着されるものであって、上記開口から露出するレンズユニットに部品が装着されているときに、その部品の枠部分に当接することで、アダプタ側結合部のカメラボディ側結合部への結合をメカ的に阻止する当接部を有する。
特に請求項５の発明は、当接部がレンズユニットの光軸の方向に向けて、突出して設けられるものである。
また請求項６の発明は、先端に光学レンズを有するととともに、光学レンズの後方にレンズユニットを光軸方向へ進退させ得る空間を有するものである。
請求項７の発明に係るカメラシステムは、レンズ露出用の開口周囲に第１の結合部を有するカメラボディと、部品を装着するための第２の結合部を有し、その先端が上記開口から露出するレンズユニットと、第１の結合部に結合される結合部を有し、結合部同士の結合によりカメラボディに装着されるレンズ用アダプタとを備え、第２の結合部に部品が装着されているときには、アダプタの一部が部品に当接することでアダプタ側結合部の第１の結合部への結合がメカ的に阻止されるよう構成したものである。
請求項８の発明に係る光学機器は、レンズを保持する筐体を有し、筐体に設けられた第１の結合部に第１の部品をレンズ前方から結合して装着可能とし、筐体の前記第１の結合部よりも光軸に対して内側に第２の結合部を設け、第２の結合部に第２の部品をレンズ前方から結合して装着可能とし、第２の部品が装着されているときには、第２の部品が第１の部品の当接部に当接することにより、第１の部品の第１の結合部への結合がメカ的に阻止されるよう第１，第２の結合部の位置関係を定めたものである。
【発明の効果】
【０００６】
本発明によれば、第２の結合部に部品が装着されているときには、その部品がアダプタあるいは第１の部品の当接部に当接することにより、アダプタあるいは第１の部品の第１の結合部への結合がメカ的に阻止されるようにしたので、双方の結合部に同時に部品が装着されることがなく、光学性能の悪化や部品の破損を防止できる。
【発明を実施するための最良の形態】
【０００７】
図１〜図５により本発明の一実施の形態を説明する。
図１は本実施形態におけるカメラの概略図、図２はその部分拡大図である。カメラボディＣＢを覆う外観カバー１０には、前面に筒状部１１が設けられ、筒状部１１の先端開口からレンズユニット２０を構成する撮影レンズ２１が露出する。撮影レンズ２１はレンズ室２２に保持され、レンズ室２２はレンズ駆動部２３により光軸Ｌ方向に進退可能とされる。図１はレンズ室２２がカメラボディ内に繰り込まれた状態（沈胴状態）を示し、カメラに電源が投入されると、レンズ室２２が図３の位置まで繰り出され、撮影可能な状態となる。
【０００８】
筒状部１１の外周面には、先端よりやや後方の位置に結合部としての雄ねじ１１ａが刻設され、この雄ねじ１１ａにレンズ用アダプタとしてのコンバータ（コンバージョンレンズ）３０がねじ込み式に着脱可能とされる。コンバータ３０は、先端部にレンズ３１を保持するとともに、基端部には雌ねじ３２が形成され、この雌ねじ３２を筒状部１１の雄ねじ１１ａに螺合することで筒状部１１に装着される。またコンバータ以外のレンズ用アダプタとして、例えば図４に示すレンズフード４０があり、これも同様に雌ねじ４２を雄ねじ１１ａに螺合することで筒状部１１に装着される。一方、レンズ室２２の先端内周面（すなわち雄ねじ１１ａより内周側）には雌ねじ２２ａが刻設され、ここに光学フィルタ５０やその他の光学部材（例えば、クローズアップレンズ）、あるいはレンズ保護部材（レンズキャップ）がねじ込み式に着脱可能となっている。これら雌ねじ２２ａに装着される各部品は、所定の光学機能を実現するために、その光軸Ｌ上に空気とは屈折率の異なる部材（例えばガラス、プラスチック）が配置されている。
【０００９】
ところで、コンバータ３０は、レンズ３１と撮影レンズ２１との間が単なる空間であることを想定して設計されているため、レンズ３１と撮影レンズ２１との間にフィルタ５０が介在する状態、つまりフィルタ５０とコンバータ３０の双方が装着された状態では満足な光学性能を得ることはできない。また、コンバータ装着時には、レンズ３１の後方空間をレンズ室２２が光軸方向に進退するため、図３の繰り出し状態においてフィルタ５０がコンバータ３０のレンズ３１にぶつかり、いずれかが破損するおそれがある。そこで本実施形態では、以下に示すようにフィルタ５０とコンバータ３０の同時装着をメカ的に不能とした。
【００１０】
図１から分かるように、コンバータ３０の内周面には、レンズ３１と雌ねじ３２との間に突起３３が全周に渡って形成されている。突起３３による入射光束を通過させる開口は、カメラの光学性能を維持するためにフィルタ５０の枠部５１よりも大きく形成されており、フィルタ５０が装着された状態でコンバータ３０を装着しようとすると、突起３３がフィルタ５０の枠部５１に当接し、それ以上の押し込みが阻止される。このとき、図２に示すように雌ねじ３２は筒状部１１の雄ねじ１１ａに達しておらず、両ねじを螺合させることはできない。図１は沈胴状態を示しているが、構造的に繰り出し状態でも螺合不能なことはいうまでもない。またフィルタ５０以外の光学部材やレンズ保護部材が装着されていた場合も同様に、その光学部材の枠部に突起３３が当接することでコンバータ３０の装着がメカ的に阻止されるように突起３３および各ねじ部の位置関係が定められている。
【００１１】
図１ではコンバータ３０が筒状部１１の先端に嵌り込んでいるように見えるが、ねじ３２，１１ａが螺合されていないとコンバータ３０がかなりぐらつくので、コンバータ装着と誤認することはない。そして、撮影者はコンバータ３０が装着不能であることをもってフィルタ５０が装着されたままであることを悟り、フィルタ５０を取り外してから改めてコンバータ３０を装着することになる。突起３３の内径はレンズ室２２の外径よりは大きいので、図３に示すように突起３３がレンズ室２２と干渉することはなく、雌ねじ３２を雄ねじ１１ａに螺合することができる。そして、突起３３が筒状部１１の先端に当接した時点でコンバータ３０の装着が完了する。すなわち突起３３は、コンバータ装着におけるストッパの役割も果たす。
【００１２】
コンバータ装着時には、レンズ室２２がコンバータ３０の内部空間を光軸方向Ｌに移動可能である。図３はレンズ室２２が繰り出された状態を示しているが、このとき撮影レンズ２１がコンバータ３０のレンズ３１に衝突することはない。
【００１３】
一方、図４に示すレンズフード４０には、上述したような装着防止用の突起は設けられていない。したがって、フィルタ５０の装着の有無に拘わらず、またレンズ室２２の位置に拘わらず、雌ねじ４２を難なく雄ねじ１１ａに螺合することができ、レンズフード４０を装着できる。なお、レンズフード４０には、光軸Ｌ上に空気と異なる屈折率を有する部材が配置されておらず、フィルタ５０等の光学部材と同時に装着されてもカメラの光学性能を損ねることはない。
また、コンバータ３０もフード４０も装着しないときには、図５に示すように雄ねじ１１ａにナット状のねじキャップ６０を螺着することで、雄ねじ１１ａを隠蔽かつ保護することができる。
【００１４】
以上ではカメラについて説明したが、カメラ以外の光学機器にも本発明を適用できる。図６は単眼鏡に適用した例を示し、単眼鏡の筐体１００は、レンズ１１１を保持するとともに、雄ねじ１１２と雌ねじ１１３とを有している。雄ねじ１１２と雌ねじ１１３には、それぞれ光学部材１２０，１３０が雄ねじ１２１，雌ねじ１３１を介してねじ込み式に装着可能とされるが、光学部材１３０が装着されているときには、光学部材１２０の突起１２２が光学部材１３０と当接することで、光学部材１２０の雌ねじ１２１が雄ねじ１１２に届かず、光学部材１２０の装着がメカ的に阻止されるように、突起１２２および各ねじ部の位置関係が定められている。
【００１５】
図６では雄ねじと雌ねじを有するものについて説明したが、図７，図８に示すように２つの雄ねじ１４２，１４３または雌ねじ１５２，１５３を有するものでもよいし、図９に示すように雄ねじ１６３と雌ねじ１６２との関係が図６と逆であってもよい。これらのケースでも、ねじ１４３，１５３，１６３に光学部材が装着されているときには、上述と同様に、ねじ１４３，１５３，１６３より外周側に設けられたねじ１４２，１５２，１６２への光学部材の装着がメカ的に阻止される。
なお、双眼鏡にも本発明を同様に適用可能である。
【００１６】
なお、コンバータ３０や光学部材１２０の突起３３，１２１を全周に渡って設けたが、必ずしも全周でなくてもよく、部分的に設けてもよい。また突起はコンバータや光学部材に一体成形により形成してもよいし、別部材を取り付けてもよい。突起の少なくとも当接箇所をゴムなどの弾性体で構成することで、フィルタ等に当接したときにこれを傷つけずに済む。またコンバータ等の光学部材をねじ式に結合する例を示したが、例えばバヨネット式でもよい。さらに、図６〜図９に示した実施形態は、図１に示したカメラのレンズやレンズ開口にも適用可能である。
【図面の簡単な説明】
【００１７】
【図１】一実施形態におけるカメラを示し、コンバータの装着が阻止されている状態を示す。
【図２】図１の各ねじ部付近を拡大して示す図。
【図３】図１と同様の図であり、コンバータ装着時の状態を示す。
【図４】図１と同様の図であり、コンバータに代えてレンズフードが装着されている状態を示す。
【図５】図１と同様の図であり、コンバータ，レンズフードに代えてねじキャップが装着されている状態を示す。
【図６】他の実施形態における単眼鏡を示し、光学部材１２０の装着が阻止されている状態を示す。
【図７】単眼鏡の他の例を示す図。
【図８】単眼鏡の更に他の例を示す図。
【図９】単眼鏡の更に他の例を示す図。
【符号の説明】
【００１８】
１０  外観カバー
１１  筒状部
１１ａ  雄ねじ
２０  レンズユニット
２１  撮影レンズ
２２  レンズ室
２２ａ  雌ねじ
２３  レンズ駆動部
３０  コンバータ
３２  雌ねじ
３３  突起
４０  レンズフード
４２  雌ねじ
５０  フィルタ
５１ フィルタ枠部
６０  ねじキャップ
ＣＢ  カメラボディ
【図１】
2005195911.tif 000003
【図２】
2005195911.tif 000004
【図３】
2005195911.tif 000005
【図４】
2005195911.tif 000006
【図５】
2005195911.tif 000007
【図６】
2005195911.tif 000008
【図７】
2005195911.tif 000009
【図８】
2005195911.tif 000010
【図９】
2005195911.tif 000011